(57)【要約】【課題】  鉛直軸心を中心として周回するライドを内方向きと外方向きとに反転させるための駆動機構を夫々のライドに設けることなく反転動作させることができ、構成が簡素化された遊戯装置を提供することを目的とする。【解決手段】  第１鉛直軸心Ｌ1 廻りに回転する円形床盤１と、円形床盤１上に周方向に複数台設けられかつ夫々が第２鉛直軸心Ｌ2 廻りに回転自在とされる乗客を乗せるためのライド２と、ライド２の第１鉛直軸心Ｌ1 廻りの回転軌跡に沿って配設されたループ状のガイドレール３と、ガイドレール３の所定位置において円形床盤１上のライド２をガイドレール３により誘導させてライド２を第２鉛直軸心Ｌ2 廻りに 180°回転させてライド２の座席部17を内方向きと外方向きとに反転させる反転機構と、を備えたものである。【選択図】    図２
2005328897.tif 000002
【特許請求の範囲】
【請求項１】
第１鉛直軸心（Ｌ1 ）廻りに回転する円形床盤（１）と、該円形床盤（１）上に周方向に複数台設けられかつ夫々が第２鉛直軸心（Ｌ2 ）廻りに回転自在とされる乗客を乗せるためのライド（２）と、該ライド（２）の上記第１鉛直軸心（Ｌ1 ）廻りの回転軌跡に沿って配設されたループ状のガイドレール（３）と、該ガイドレール（３）の所定位置において上記円形床盤（１）上のライド（２）を該ガイドレール（３）により誘導させて該ライド（２）を上記第２鉛直軸心（Ｌ2 ）廻りに 180°回転させて該ライド（２）の座席部（17）を内方向きと外方向きとに反転させる反転機構（４）と、を備えたことを特徴とする遊戯装置。
【請求項２】
第１鉛直軸心（Ｌ1 ）廻りに回転する円形床盤（１）と、該円形床盤（１）上に周方向に複数台設けられかつ夫々が第２鉛直軸心（Ｌ2 ）廻りに回転自在とされる乗客を乗せるためのライド（２）と、該ライド（２）の上記第１鉛直軸心（Ｌ1 ）廻りの回転軌跡に沿って配設されたループ状のガイドレール（３）と、該ライド（２）と一体的に回転するよう取着させた水平状のアーム（５）の両端部に設けられ該ガイドレール（３）に沿って走行可能となる前後一対の方向変換用ローラ（６ａ）（６ｂ）と、を備え、ループ状の上記ガイドレール（３）は、円環ガイドレール本体部（７）と、該円環ガイドレール本体部（７）の一部欠損部に設けられ半径方向に変位する弯曲ガイドレール部（８）とを有し、上記一対の方向変換用ローラ（６ａ）（６ｂ）の内の前方側の方向変換用ローラ（６ａ）を該弯曲ガイドレール部（８）に沿って走行させることで後方側の方向変換用ローラ（６ｂ）を上記第２鉛直軸心（Ｌ2 ）廻りに揺動させて後方側であった該方向変換用ローラ（６ｂ）を前方側であった上記方向変換用ローラ（６ａ）に対して追い抜かせることで、上記ライド（２）を上記第２鉛直軸心（Ｌ2 ）廻りに 180°回転させて該ライド（２）の座席部（17）を内方向きと外方向きとに反転させることを特徴とする遊戯装置。
【請求項３】
上記弯曲ガイドレール部（８）は滑らかな弓形状とされ、該弯曲ガイドレール部（８）の中間部に、上記方向変換用ローラ（６ａ）に対して走行方向逆向きの抵抗を与える緩衝手段（10）付き揺動ガイド部（９）を有する請求項２記載の遊戯装置。
【発明の詳細な説明】
【技術分野】
【０００１】
本発明は、遊戯装置に関するものである。
【背景技術】
【０００２】
遊園地等の娯楽施設において、体験型のアトラクションが増えている。例えば、乗客を乗せたライド（乗り物）がレールに沿って移動し、複数のショーセットを順次通過し、ストーリー性を持たせるような遊戯装置（施設）がある。
このような遊戯装置は、従来、ライドの各々に、レールを走行させるための走行駆動手段と、前後等の向き換えをさせるための旋回駆動手段と、が設けられている（例えば、特許文献１参照）。または、走行駆動手段を複数台のライドに共通化させたものもあるが、旋回駆動手段は各々のライドに設けている。
【特許文献１】特開２００３−２６５８５３号公報
【発明の開示】
【発明が解決しようとする課題】
【０００３】
複数台のライドを有する従来の遊戯装置は、１台のライド毎にモータ及び歯車等を設けているため、構造が複雑化し、コスト高となるという問題点がある。構造が複雑であるため、故障の際、復旧に多くの時間がかかり、装置の安定性・信頼性を高めることができなかった。
また、従来の装置は、ライドに乗った乗客の前方はショーセットが存在するが、その後方はただの壁であり有効に空間が利用できておらず、遊戯時間が短いという問題点がある。
【課題を解決するための手段】
【０００４】
本発明に係る遊戯装置は、第１鉛直軸心廻りに回転する円形床盤と、該円形床盤上に周方向に複数台設けられかつ夫々が第２鉛直軸心廻りに回転自在とされる乗客を乗せるためのライドと、該ライドの上記第１鉛直軸心廻りの回転軌跡に沿って配設されたループ状のガイドレールと、該ガイドレールの所定位置において上記円形床盤上のライドを該ガイドレールにより誘導させて該ライドを上記第２鉛直軸心廻りに 180°回転させて該ライドの座席部を内方向きと外方向きとに反転させる反転機構と、を備えたものである。
或いは、第１鉛直軸心廻りに回転する円形床盤と、該円形床盤上に周方向に複数台設けられかつ夫々が第２鉛直軸心廻りに回転自在とされる乗客を乗せるためのライドと、該ライドの上記第１鉛直軸心廻りの回転軌跡に沿って配設されたループ状のガイドレールと、該ライドと一体的に回転するよう取着させた水平状のアームの両端部に設けられ該ガイドレールに沿って走行可能となる前後一対の方向変換用ローラと、を備え、ループ状の上記ガイドレールは、円環ガイドレール本体部と、該円環ガイドレール本体部の一部欠損部に設けられ半径方向に変位する弯曲ガイドレール部とを有し、上記一対の方向変換用ローラの内の前方側の方向変換用ローラを該弯曲ガイドレール部に沿って走行させることで後方側の方向変換用ローラを上記第２鉛直軸心廻りに揺動させて後方側であった該方向変換用ローラを前方側であった上記方向変換用ローラに対して追い抜かせることで、上記ライドを上記第２鉛直軸心廻りに 180°回転させて該ライドの座席部を内方向きと外方向きとに反転させるものである。
また、上記弯曲ガイドレール部は滑らかな弓形状とされ、該弯曲ガイドレール部の中間部に、上記方向変換用ローラに対して走行方向逆向きの抵抗を与える緩衝手段付き揺動ガイド部を有するものである。
【発明の効果】
【０００５】
本発明の遊戯装置によれば、ライドの座席部を径方向の内方向きと外方向きとに反転させるための駆動機構（例えばモータ及び歯車）を夫々のライドに設けることなく、ライドを内外反転させることができる。つまり、ライドをガイドレールに沿って移動させるのみでライドを自動的に内外反転させることができ、設備の簡素化、低コスト化が図れる。また、故障が少なく、万が一故障しても装置が簡単であるため、迅速に復旧させることができる。安定性・信頼性の高い遊戯装置とすることができる。
円形床盤上に設けた複数台のライドの内方側に、略一周のショーセットを設け、かつ、外方側に、略一周のショーセットを設ければ、まずライドを内方へ向けて一周させ、次にライドを外方へ向けて一周させることにより、小さい設置スペースであってもライドに搭乗する乗客に対し長時間にわたって観覧や射撃等の各種の遊戯を体験させることができる。
【発明を実施するための最良の形態】
【０００６】
図１は、本発明に係る遊戯装置の実施の一形態を示す全体平面図であり、図２は、遊戯装置が備える円形床盤１及びライド２を示す平面図であり、図３は、図２の断面側面図である。
この装置は、第１鉛直軸心Ｌ1 廻りに回転する円形床盤１と、円形床盤１上に周方向に複数台（図では12台）設けられかつ夫々が（円形床盤１上の）第２鉛直軸心Ｌ2 廻りに回転自在とされる乗客を乗せるためのライド２と、を備えている。円形床盤１の上盤11は円環状とされ、ライド２が上盤11に周方向に沿って複数台並べられている。
【０００７】
図１において、環状に配置された複数台のライド２の径方向内方側（円形床盤１の内方側）に、内ショーセット12が設けられ、外方側に、外ショーセット13が設けられている。内ショーセット12は、壁部材にて複数に区画された複数の区画空間14（♯１、♯２、♯３、♯４）を備えている。また、外ショーセット13においても、壁部材にて複数に区画された複数の区画空間14（♯５、♯６、♯７、♯８）を備えている。さらに、外方側には、遊戯者が乗り降りするためのプラットホーム15が配設され、プラットホーム15と円形床盤１の上盤11とは同一水平面状とされ、相互に微小な隙間が設けられライド２における乗り降りを容易にさせている。また、隣り合うライド２，２の間には、先のショーセットが事前に見えないよう、目隠し壁37が設けられている。
なお、本発明の遊戯装置は、ショーセット12，13を観覧させるのみならず、図示省略するが、ライド２に（レーザ光を照射する）銃を設け、ショーセット12，13のオブジェに対して射撃を行い、得点を競うことのできるゲーム型式の装置とすることもできる。
【０００８】
また、円形床盤１及びライド２は建屋内（室内）に設けることができ、建屋全体の入口からプラットホーム15までにおいて、遊戯者をライド２へ搭乗させるために並ばせる迷路状の通路（ウォークスルーエリア）16が設けられ、通路16には、映像、照明、音声、造形物等による演出手段を備えている。
装置の寸法、動作の一例を挙げると、例えば、円形床盤１の直径がφ20m 、第１鉛直軸心Ｌ1 廻りに回転するライド２の回転軌跡ａ（図２に示す回転中心線）の直径がφ14.8m 、回転軌跡ａにおける円形床盤１（ライド２）の回転速度が0.215m/sec（１周時間３分３６秒）、ライド２の直径が3.2m、とできる。
【０００９】
そして、円形床盤１が第１鉛直軸心Ｌ1 廻りに回転駆動することで、ライド２は、第１鉛直軸心Ｌ1 廻りに回転することとなる。この装置は、ライド２の第１鉛直軸心Ｌ1 廻りの回転軌跡に沿って配設されたループ状のガイドレール３を備える。従って、ガイドレール３は、第１鉛直軸心Ｌ1 を中心とする環状に形成される。
さらに、ライド２には座席部17が設けられ、座席部17を、半径方向の内方向きと外方向きとに（内方向きから外方向きへ、又は、外方向きから内方向きへ）反転させる反転機構４を備えている。
【００１０】
反転機構４は、後に詳しい説明をするが、ループ状のガイドレール３の所定位置において、円形床盤１上のライド２をガイドレール３により誘導させてライド２を第２鉛直軸心Ｌ2 廻りに 180°回転させてライド２の座席部17を内方向きと外方向きとに反転させるよう構成されている。
これにより、まず、乗客を外方から乗せたライド２を反転機構４にて 180°回転させてライド２を内方（内ショーセット12側）へ向け、一周させ乗客に内ショーセット12を観覧（体験）させ、次に、乗客をライド２に乗せたまま反転機構４にてライド２を 180°回転させてライド２を外方へ向けて一周させ、外ショーセット13を観覧させる。つまり、ライド２を（略）２周させることで遊戯の終了となる。従って、小さい設置スペースであってもライド２に搭乗する乗客に対し長時間にわたって遊戯を体験させることができる。  なお、矢印Ｒが円形床盤１の第１鉛直軸心Ｌ1 廻りの回転方向であり、矢印Ｓがライド２の第２鉛直軸心Ｌ2 廻りの回転方向である。
【００１１】
ライド２の本体部を図４と図５と図６に示す。ライド２には座席部17が、中央の区画壁18を挟んで背中合わせで両側に配設され相互反対向きとされ、一方側と他方側の夫々の座席部17には複数台（４台）のシートが設けられている。つまり、片側４人で合計８人用のライド２となる。このうち中央（２台）については、はね上げ式のシートとされ、図６に示すようにはね上げ式シートを鉛直状に折り畳んで車椅子を搭乗させることもできる。
従って、１台のライド２において、一方側に搭乗する乗客が内ショーセット12を観覧すると同時に、他方側に搭乗する他の乗客が外ショーセット13を観覧することとなる。
なお、ライド２の外装部やシートは例えばＦＲＰ製とされ、夫々の座席部17の前方には背の低いドア38を有し、また、ライド２上部には放送設備が設けられ、区画壁18の中央部に（緊急時にのみ開状態とする）非常用の通路が設けられている。
【００１２】
図７は遊戯装置の要部を示す側面図であり、図８は反転機構４を説明する一部断面の側面図であり、図２と図７と図８において、第１鉛直軸心Ｌ1 廻りに回転する円形床盤１は、平面視環状の上盤11と、上盤11をその下方において連結部材27にて連結するベース盤19と、を備え、上盤11にはライド２用の孔部20（図７）が周方向に複数形成され、孔部20にライド２が配設される。
ライド２の下面には、第２鉛直軸心Ｌ2 を中心とする鉛直軸21が固着され、鉛直軸21はその中間部においてベース盤19を貫通してベース盤19の軸受部材22にて回転可能に支持され、鉛直軸21の下部は水平状のアーム５の中間部が固着されている。
【００１３】
つまり、ライド２は、円形床盤１に対して第２鉛直軸心Ｌ2 廻りに回転自在となり、アーム５は、ライド２と一体的に回転するよう、ライド２と取着されている。
また、水平状のアーム５の両端部には、ガイドレール３に沿って走行可能となる前後一対の方向変換用ローラ６ａ，６ｂが設けられている。
さらに、ライド２の下面には水平面状の座部材23が設けられ、ベース盤19上に第２鉛直軸心Ｌ2 を中心とする円周上に複数のローラ24が設けられている。このローラ24上を座部材23が回転可能であり、ローラ24にてライド２の水平姿勢が保持され、第２鉛直軸心Ｌ2 廻りの回転を滑らかにしている。
【００１４】
円形床盤１の第１鉛直軸心Ｌ1 廻りの回転駆動について説明すると、図７と図９において、ベース盤19の下面側に、第１鉛直軸心Ｌ1 を中心とした環状の駆動用レール25が配設される。他方、この装置が設けられる地面側には、第１鉛直軸心Ｌ1 を中心とした周上に、鉛直方向を回転軸心として回転駆動する回転駆動ローラ26が複数台設けられている。そして、回転駆動ローラ26が駆動用レール25に当接し、回転駆動ローラ26の回転により、駆動用レール25を第１鉛直軸心Ｌ1 廻りに回転させ、円形床盤１全体を回転させる。
【００１５】
駆動用レール25は例えばＨ型鋼により構成され、その外周側面に回転駆動ローラ26が当接し、また駆動用レール25を内周側面から回転駆動ローラ26とで挟むよう副ローラ29が設けられ、さらに図９において、これらとは別に、駆動用レール25を両側から挟んで姿勢を保持させかつ安定して回転させるための一対の補助ローラ28，28が存在する。
さらに、図７と図８において、地面には、第１鉛直軸心Ｌ1 を中心として環状に基盤30が固着され、基盤30上には、第１鉛直軸心Ｌ1 を中心とする環状の内補助レール31と外補助レール32とが設けられ、円形床盤１のベース盤19の下面に設けた内走行ローラ33ａ，外走行ローラ33ｂが、内外補助レール31，32上を走行し、円形床盤１（ベース盤19）の水平姿勢を保持し、安定して円形床盤１を回転させている。
【００１６】
図９に示すように、符号ａは、第１鉛直軸心Ｌ1 廻りに回転するライド２（の第２鉛直軸心Ｌ2 ）の回転軌跡（回転中心線）を示し、ガイドレール３は、この回転軌跡ａよりも外方側でその近傍に配設され、また、内補助レール31と外補助レール32との間に配設される。なお、駆動用レール25はこの外補助レール32のさらに外方側に設けられる。
そして、ガイドレール３は、さらに図９にて示すように、第１鉛直軸心Ｌ1 を中心とする円環ガイドレール本体部７と、円環ガイドレール本体部７の一部欠損部に設けられ半径方向に変位する弯曲ガイドレール部８とを有しており、これらにより一つのループ状とされている。
【００１７】
円環ガイドレール本体部７は、第１鉛直軸心Ｌ1 を中心とする環状であるが、弯曲ガイドレール部８は、円環ガイドレール本体部７と連続する滑らかな弓形状とされ、図10においては、外方へ（外径側）へ膨らむ（突出する）よう弯曲している。
なお、円環ガイドレール本体部７は、一条の例えば断面円形のパイプ状軌条とされ、その内径側に沿って、ライド２側の方向変換用ローラ６ａ，６ｂが共に接触しながら走行する。
【００１８】
湾曲ガイドレール部８は、円環ガイドレール本体部７と連続する外湾曲部34と、外湾曲部34と（方向変換用ローラ６ａの直径よりも僅かに大きい）隙間をもって平行状となる内湾曲部35とを有する。さらに、外・内湾曲部34，35の両者とも、前後２分割され、外湾曲部34は前半部34ａと後半部34ｂとを有し、内湾曲部35は前半部35ａと後半部35ｂとを有する。
【００１９】
そして、この湾曲ガイドレール部８は、ライド２を反転動作させたい位置に設ければ良く、図１と図２では、プラットホーム15における搭乗部の直ぐ後のエリアＡに設けている。これにより、乗客がプラットホーム15から外方側向きの座席部17に搭乗したライド２は、湾曲ガイドレール部８（反転機構４）にて、外方向きから直ぐに内方向きへ反転され、まず、内ショーセット12を観覧する。そして、内方向きであった乗客を乗せたライド２は、360 °一周して、湾曲ガイドレール部８（反転機構４）にて内方向きから外方向きへ反転し、引き続き外ショーセット13を観覧することとなる。そして、プラットホーム15の降り口にて乗客は降りる。つまり、ライド２を反転させる反転機構４は、湾曲ガイドレール部８、及び、アーム５の両端部に設けた方向変換用ローラ６ａ，６ｂとを有すると言える。
【００２０】
湾曲ガイドレール部８における一対の方向変換用ローラ６ａ，６ｂの動作について説明する。円形床盤１は、駆動用レール25と回転駆動ローラ26とにより第１鉛直軸心Ｌ1 廻りに回転する。そして、円形床盤１に設けたライド２が湾曲ガイドレール部８を通過すると、そのライド２は、 180°だけ第２鉛直軸心Ｌ2 廻りに回転する。
【００２１】
図11は、その際における方向変換用ローラ６ａ，６ｂの動作を説明する図であり、一対の方向変換用ローラ６ａ，６ｂの内の前方側の方向変換用ローラ６ａを弯曲ガイドレール部８に沿って走行させることで、後方側の方向変換用ローラ６ｂを第２鉛直軸心Ｌ2 廻りに揺動させて後方側であった方向変換用ローラ６ｂを前方側であった方向変換用ローラ６ａに対して追い抜かせる（追い越させる）ことで、ライド２を第２鉛直軸心Ｌ2 廻りに 180°回転させてライド２の座席部17を内方向きと外方向きとの間を反転させる。
【００２２】
つまり、ライド２自身は、回転軌跡ａ（図10参照）に沿って移動するが、ライド２の下方側において、方向変換用ローラ６ａ，６ｂの内の前方側の方向変換用ローラ６ａは、図11に示すように、湾曲ガイドレール部８にて径方向外方へ強制的に誘導される。つまり、ライド２は第１鉛直軸心Ｌ1 を中心とする回転軌跡ａに沿って移動するが、前方側の方向変換用ローラ６ａは径方向外方側を大回りをすることにより、アーム５（図11においては二点鎖線にて示す）が、アーム５の中間位置の第２鉛直軸心Ｌ2 を中心として揺動する。  そして、湾曲ガイドレール部８を通過する前において後方側であった方向変換用ローラ６ｂは、ライド２自身の回転軌跡ａに沿った移動により、アーム５の揺動に伴って図11に示すように内方寄りをガイドされることなく移動する。前方側であった方向変換用ローラ６ａが湾曲ガイドレール部８の中間部を越えると、後方側であった方向変換用ローラ６ｂはその前方側であった方向変換用ローラ６ａを追い越し、その後、一対の方向変換用ローラ６ａ，６ｂは、前後入れ換わって再び円環ガイドレール本体部７にガイドされる。つまり、一対の方向変換用ローラ６ａ，６ｂが前後入れ換わることにより、アーム５と一体回転するよう構成されたライド２が 180°回転する。
【００２３】
また、図11及び図12に示すように、弯曲ガイドレール部８は滑らかな弓形状とされ、弯曲ガイドレール部８の中間部に、方向変換用ローラ６ａに対して走行方向逆向きの抵抗を与える緩衝手段10付き揺動ガイド部９を有している。
湾曲ガイドレール部８の中間部において、方向変換用ローラ６ａ，６ｂは前後が入れ換わるが、その中間部において、先行していた方向変換用ローラ６ａの走行に対して抵抗を与えることで先行していた方向変換用ローラ６ａを、後方側であった方向変換用ローラ６ｂよりも、強制的に遅延させ、前後の入れ換えを確実なものとしている。
【００２４】
揺動ガイド部９は、外湾曲部34の後半部34ｂのうち前半部34ａに隣接するローラ接触面の一部が切り欠かれ、その切り欠き部に、鉛直方向を揺動軸心36として揺動可能に、しかも外湾曲部34の後半部34ｂと連続状となるよう設けられる。そして、前方側であった方向変換用ローラ６ａが揺動ガイド部９に当接することで、そのローラ６ａは走行方向逆向きの抵抗を僅かに受ける（さらに外方へ大回りさせることを許容する）。これにより、一対の方向変換用ローラ６ａ，６ｂの前後入れ換えの補助となり、確実にライド２を内外反転させる。
また、揺動ガイド部９の背面側にはコイルバネを有する緩衝手段10が設けられ、方向変換用ローラ６ａに抵抗を与えると共に、揺動ガイド部９を適切な位置に配置させ、確実に動作させている。
【００２５】
なお、本発明において、乗客を乗せたライド２の座席部17をまず内方向きとしているが、最初は外方向きのままで１周させ、その後、 180°反転させてから内方向きとなるようしてもよい。
また、円形床盤１が第１鉛直軸心Ｌ1 廻りに１回転（ 360°回転）する間に、ライド２が第２鉛直軸心Ｌ2 廻りに１回だけ旋回（内外反転）する装置を示したが、円形床盤１が１回転する間に、ライド２を、複数回、旋回させてもよい。つまり、反転機構４を複数台設けても良い。
【００２６】
以上のように、本発明によれば、第１鉛直軸心Ｌ1 廻りに回転する円形床盤１と、円形床盤１上に周方向に複数台設けられかつ夫々が第２鉛直軸心Ｌ2 廻りに回転自在とされる乗客を乗せるためのライド２と、ライド２の第１鉛直軸心Ｌ1 廻りの回転軌跡に沿って配設されたループ状のガイドレール３と、ガイドレール３の所定位置において円形床盤１上のライド２をガイドレール３により誘導させてライド２を第２鉛直軸心Ｌ2 廻りに 180°回転させてライド２の座席部17を内方向きと外方向きとに反転させる反転機構４と、を備えたものであるため、ライド２をガイドレール３に沿って移動させるのみでライド２を内外反転させることができ、設備の簡素化、低コスト化が図れる。
さらに、円形床盤１に設けた複数台のライド２の内方側に、略一周の内ショーセット12を設け、外方側に、略一周の外ショーセット13を設ければ、まずライド２を内方へ向けて一周させ、次にライド２を外方へ向けて一周させることにより、小さい設置スペースであってもライド２に搭乗する乗客に対し長時間にわたって（観覧や射撃等の各種の）遊戯を体験させることができる。
【００２７】
また、第１鉛直軸心Ｌ1 廻りに回転する円形床盤１と、円形床盤１上に周方向に複数台設けられかつ夫々が第２鉛直軸心Ｌ2 廻りに回転自在とされる乗客を乗せるためのライド２と、ライド２の第１鉛直軸心Ｌ1 廻りの回転軌跡に沿って配設されたループ状のガイドレール３と、ライド２と一体的に回転するよう取着させた水平状のアーム５の両端部に設けられガイドレール３に沿って走行可能となる前後一対の方向変換用ローラ６ａ，６ｂと、を備え、ループ状のガイドレール３は、円環ガイドレール本体部７と、円環ガイドレール本体部７の一部欠損部に設けられ半径方向に変位する弯曲ガイドレール部８とを有し、一対の方向変換用ローラ６ａ，６ｂの内の前方側の方向変換用ローラ６ａを該弯曲ガイドレール部８に沿って走行させることで後方側の方向変換用ローラ６ｂを第２鉛直軸心Ｌ2 廻りに揺動させて後方側であった方向変換用ローラ６ｂを前方側であった方向変換用ローラ６ａに対して追い抜かせることで、ライド２を第２鉛直軸心Ｌ2 廻りに 180°回転させてライド２の座席部17を内方向きと外方向きとに反転させるものであるため、ライド２をガイドレール３に沿って移動させるのみでライド２を内外反転させることができ、設備の簡素化、低コスト化が図れる。
【００２８】
つまり、ライド２を内外反転させるための駆動機構（例えばモータ及び歯車）を夫々のライド２に設けることなく、全てのライド２を順次内外反転させることができる。また、故障が少なく、万が一故障しても装置が簡単であるため、迅速に復旧させることができる。安定性・信頼性の高い遊戯装置とすることができる。
【００２９】
また、弯曲ガイドレール部８は滑らかな弓形状とされ、弯曲ガイドレール部８の中間部に、方向変換用ローラ６ａに対して走行方向逆向きの抵抗を与える緩衝手段10付き揺動ガイド部９を有するため、ライド２の内外反転の動作を確実かつスムーズに行わせることができる。つまり、ライド２全体を、誤作動させることなく第２鉛直軸心Ｌ2 廻りに確実に回転させることができる。
【図面の簡単な説明】
【００３０】
【図１】本発明に係る遊戯装置の実施の一形態を示す全体平面図である。
【図２】円形床盤及びライドを示す平面図である。
【図３】図２の断面側面図である。
【図４】ライドの断面平面図である。
【図５】ライドの正面図である。
【図６】ライドの側面図である。
【図７】円形床盤及びライドの要部側面図である。
【図８】反転機構を説明する一部断面の側面図である。
【図９】円形床盤を回転駆動させる構成を説明する概略平面図である。
【図１０】弯曲ガイドレール部を示す概略平面図である。
【図１１】反転動作を説明する説明図である。
【図１２】揺動ガイド部を示す平面図である。
【符号の説明】
【００３１】
１  円形床盤
２  ライド
３  ガイドレール
４  反転機構
５  アーム
６ａ  方向変換用ローラ
６ｂ  方向変換用ローラ
７  円環ガイドレール本体部
８  弯曲ガイドレール部
９  揺動ガイド部
10  緩衝手段
17  座席部
Ｌ1   第１鉛直軸心
Ｌ2   第２鉛直軸心
【図１】
2005328897.tif 000003
【図２】
2005328897.tif 000004
【図３】
2005328897.tif 000005
【図４】
2005328897.tif 000006
【図５】
2005328897.tif 000007
【図６】
2005328897.tif 000008
【図７】
2005328897.tif 000009
【図８】
2005328897.tif 000010
【図９】
2005328897.tif 000011
【図１０】
2005328897.tif 000012
【図１１】
2005328897.tif 000013
【図１２】
2005328897.tif 000014